(57)【特許請求の範囲】
【請求項１】
補助材容器を取り付けた中蓋を容器本体に被着し、上蓋によってシールされた食品容器であって、
中蓋は、中央部に、底壁と側周壁とからなる補助材容器の支持部を設け、
周縁部には、フランジと側周壁を設けられており、
周縁部の側周壁の下端から補助材容器の支持部を支持する一対の支持板を連設し、
支持板の両側部に縦板が立設され、支持部の側周壁に沿って円弧板が立設され、
周縁部とフランジと、縦板と円弧板の上端を連設し湯注入口を穿孔した上板と、複数の湯切り孔を穿設した上板が形成されていることを特徴とする食品容器。
【請求項２】
容器本体と中蓋との間に、位置合わせ用の凸部と凹部を設けたことを特徴とする請求項１記載の食品容器。
【発明の詳細な説明】
【技術分野】
【０００１】
本発明は、食品容器、とくに、つゆ、たれ、具材等の補助材を収納した補助材容器を取着し、湯切り孔を設けた中蓋を具備した食品容器に関するものである。
【背景技術】
【０００２】
乾燥麺、油揚げ麺等の即席麺を、具材、つけ汁等とともに、容器に収納した即席食品容器において、容器（１）のフランジ部（３）に基材（５）と表面材（６）とを剥離可能に積層した蓋材（２）をヒートシールし、基材（５）をハーフカット（１３）により湯切り孔（１４）を形成するようにし、使用にあたっては、基材（５）の一部分を容器（１）のフランジ部（３）から剥離して、湯を注入し、一定時間後に、湯切り孔（１４）側のタブを引っ張って、表面材（６）を開口させて、湯を排出し、即席麺に具材やタレを混ぜ合わせて、食するようにした容器は、従来より知られている（例えば、特許文献１参照）。
【特許文献１】特開２００７−１９７０１８号公報
【発明の開示】
【発明が解決しようとする課題】
【０００３】
しかしながら、上記特許文献１記載の容器では、タレや具材は、小袋に入れて即席麺類とともに容器内に収納されているので、湯注入口の開封時に湯の注入前に手指を入れて小袋を取り出さなければならず、取扱いが面倒であるという問題があった。
また、蓋材は、表面材と基材とが剥離可能として積層されており、湯切り孔は、基材にハーフカットを施すことによって形成しており、蓋材自体の構成が複雑になるという問題があった。
【０００４】
本発明は、上記問題点を解決することを課題として、補助材容器を取り付け可能とし、即席食品に注ぎ込んだ湯を排出するための湯切り孔を設けた中蓋を具備した食品容器を提供することを目的とする。
【課題を解決するための手段】
【０００５】
本発明は、上記の課題を解決するため、食品容器として、補助材容器を取り付けた中蓋を容器本体に被着し、上蓋によってシールされた食品容器であって、中蓋は、中央部に、底壁と側周壁とからなる補助材容器の支持部を設け、周縁部には、フランジと側周壁を設けられており、周縁部の側周壁の下端から補助材容器の支持部を支持する一対の支持板を連設し、支持板の両側部に縦板が立設され、支持部の側周壁に沿って円弧板が立設され、周縁部とフランジと、縦板と円弧板の上端を連設し湯注入口を穿孔した上板と、複数の湯切り孔を穿設した上板が形成されていることを特徴とする構成を採用する。
【０００６】
中蓋の位置合わせのために、容器本体と中蓋との間に、位置合わせ用の凸部と凹部を設けたことを特徴とする構成を採用する。
【発明の効果】
【０００８】
本発明の食品容器は、補助材容器を取り付けた中蓋を容器本体に装着し、中蓋に湯注入口と湯切り孔を設けているので、上蓋を所定の位置まで開封するだけで、直ちに注湯を行うことができる。
注湯後に注湯口を閉じ、一定時間経過後に上蓋を所定の位置まで開封し湯切り孔を開くことによって湯切りが簡単にできるようになった。
また、補助材容器が、中蓋に取り付けられているので、容器本体に注入した熱湯によって温められるようになった。
【発明を実施するための最良の形態】
【０００９】
次に本発明の食品容器について、図面を参照して説明する。
図１において、Ａは容器本体、Ｂは中蓋、Ｃは補助材容器、Ｄは上蓋である。
容器本体Ａ、中蓋Ｂ、補助材容器Ｃ等は合成樹脂製で、熱成形によって成形される。
上蓋Ｄは、単層、または積層の合成樹脂シート、または合成樹脂フィルムと紙との積層シートである。
【００１０】
図２に示すように、容器本体Ａは、上端を開口端１とした拡径部２と、拡径部２下端に成形された段部３と、胴部４、および底部５とからなっており、拡径部２の所定の位置には、位置合わせ用の凹溝６が設けられている。  
【００１１】
図１、３、４に示すように、中蓋Ｂは、周縁全周に容器本体Ａの拡径部２に係合する側周壁７と、フランジ８を具えており、所定の位置には、側周壁７の凹溝６に係合する凸部９が設けられている。
実施例では、容器本体Ａに凹溝６を設けたが、凹溝に代え、突条を設け、中栓Ｂの側に凹溝を設けるようにしてもよい。  
【００１２】
中蓋Ｂの中央部には、底壁１０と側周壁１１とからなる補助材容器Ｃの支持部１２が形成されており、位置合わせ用の凸部９を中心とする約９０度の範囲には、側周壁７の下端と、側周壁１１の上端を連設する左右一対の支持板１３ａ、１３ｂが対向して設けられている。
【００１３】
支持板１３ａ、１３ｂの端部には、前方側に縦板１４ａ、１４ｂ、後方側に縦板１５ａ、１５ｂが立設され、縦板１４ａ、１４ｂの内側端部には、支持部１２の側周壁１１に沿って立設された円弧板１４ｃが連設され、縦板１５ａ、１５ｂの内側端部には、側周壁１１に沿って立設された円弧板１５ｃが連設されている。
フランジ８と縦板１４ａ、１４ｂ、円弧板１４ｃとの間には、開口が形成され、湯注入口１６が穿設されている。
フランジ８と縦板１５ａ、１５ｂ、円弧板１５ｃとの間には、上板１７が形成され、該上板１７には、複数の湯切り孔１８が穿設されている。
【００１４】
湯切り孔の形成にあたって、上板１７に代え、湯切り孔を穿設した板体を、中蓋Ｂの成形時にインサート成形してもよい。
【００１５】
図５に示すように、補助材容器Ｃは、上端にフランジ１９を設けた側周壁２０と底壁２１とからなり、フランジ１９には、シール蓋２２が接着されるようになっている。
容器本体Ａ、中栓Ｂ、補助材容器Ｃの肉厚は、図では厚くなっているが、熱湯注入時の容器の保形性があればよく、さらに薄肉にできる。
【００１６】
図６に示すように、上蓋Ｄは、中蓋Ｂの上面を覆う円形のシート２３であって、中蓋Ｂの湯注入口１６の側には、開口用摘み２４が設けられ、湯切り孔１８の側には、湯切り孔用摘み２５が設けられている。
湯注入口１６、湯切り孔１８を容易に開口させるために、所定の場所に、折り曲げライン２６、弱化ライン２７が設けられ、折り曲げライン２６と弱化ライン２７の間は、接着領域となっており、両ラインの外側は、剥離容易な領域である。
また、弱化ライン２７の外側に、湯切り孔１８を塞ぐ栓体を、上蓋Ｄに接着等により設けてもよい。
中蓋Ｂを取り付けた容器本体Ａと上蓋Ｄは、シュリンクフィルムで覆って包装される。
【００１７】
次に、本発明食品容器の使用態様と作用効果について説明する。
容器本体Ａには、即席麺Ｎが収納されているが、即席食品として、焼きそば、ラーメン、スパゲッティ、うどん、米飯等を用いることができる。
次いで、別個につゆ、またはタレ、具材等を収容し、シール蓋２２を接着した補助材容器Ｃを中蓋Ｂの支持部１２に取り付け、該中蓋Ｂを容器本体Ａに閉蓋し、その上から上蓋Ｄを被着して、中蓋Ｂのフランジ８と、上板１７、湯注入口１６、湯切り孔１８を覆う。
【００１８】
また、補助材容器Ｃにつゆ、またはタレ等を入れ、調味料、具材を収納した小袋を支持板１３ａ、１３ｂの上面に収納してもよい。
或いは、調味料、具材を支持板１３ａ、１３ｂとその両端に立設した縦板と、側周壁７によって形成される空間内に、直接収納させるようにしてもよい。
【００１９】
その際、容器本体Ａの位置合わせ用の凹溝６と、中蓋Ｂの凸部９を係合させて被嵌するので、湯切り孔１８を一定の場所に位置させることができる。
次いで、上蓋Ｄの開口用摘み２４を湯注入口１６に一致させるように位置させ、シュリンクフィルムによって全体を包装する。
以上のようにして、本発明の食品容器が形成される。
【００２０】
次に、使用方法について説明する。
まず、包装フィルムをはがして上蓋Ｄを露出させ、開口用摘み２４を持って湯注入口１６まで開蓋するように上蓋Ｄを剥離する。
次いで、容器本体Ａに熱湯を注入し、再び上蓋Ｄを圧接し、湯注入口１６を閉じる。
その際、補助材容器Ｃは、中蓋Ｂに装着されているので、容器本体Ａから取り出す必要はなく、開封と同時に、湯注入口１６から湯を注入することができる。
その際、補助材容器Ｃ内のつゆ、タレ、および支持板１３ａ、１３ｂ上の補助材は、熱湯によって温められる。
【００２１】
一定時間経過して即席食品を蒸らし終えると、湯切り孔用摘み２５をもって湯切り孔１８が開口するように弱化ライン２７まで上蓋Ｄを剥離して、湯を排出する。
その後に、上蓋Ｄを剥離して、中蓋Ｂから取り除く。
次いで、補助材容器Ｃを取り外して、シール蓋２２を開くとともに中蓋Ｂを開いて即席食品を取り出し、温められた補助材をつけて食するが、補助材を即席食品の中に混ぜて食べることができる。
【００２２】
本発明の食品容器は、中蓋Ｂに補助材容器Ｃを取り付けたままで、上蓋Ｄの所定の部分を剥離することによって、湯注入口の開閉、湯切り孔の開封ができるので、使用は簡単となり、容器本体Ａ内に注入した熱湯によって、補助材容器Ｃが温められるので、温かいつゆを即席食品に混ぜ合わせることができるようになった。
【産業上の利用可能性】
【００２３】
本発明の食品容器は、補助材容器を取り付けた中蓋に、湯注入口と湯切り孔を設け、上蓋を所定の位置まで剥離するだけで、湯の注入、排出ができるので、即席麺を始め、あらゆる即席食品用の容器として広く利用できる。
【図面の簡単な説明】
【００２４】
【図１】本発明の食品容器の一部断面立面図である。
【図２】容器本体の説明図で、（ａ）は上面図、（ｂ）は一部断面立面図である。
【図３】中蓋の説明図で、（ａ）は上面図、（ｂ）は一部断面立面図である。
【図４】中蓋の説明図で、（ａ）は側面立面図、（ｂ）は底面図である。
【図５】補助材容器の断面立面図である。
【図６】上蓋の上面図である。
【符号の説明】
【００２５】
Ａ          容器本体
Ｂ          中蓋
Ｃ          補助材容器
Ｄ          上蓋
Ｎ          即席麺
１          開口端
２          拡径部
３          段部
４          胴部
５          底部
６          凹溝
７、１１、２０  側周壁
８、１９    フランジ
９          凸部
１０、２１  底壁
１２        支持部
１３ａ，ｂ  支持板
１４ａ，ｂ、１５ａ，ｂ  縦板
１４ｃ、１５ｃ  円弧板
１６        湯注入口
１７        上板
１８        湯切り孔
２２        シール蓋
２３        シート
２４        開口用摘み
２５        湯切り孔用摘み
２６        折り曲げライン
２７        弱化ライン
【図１】
0005020791.tif 000002
【図２】
0005020791.tif 000003
【図３】
0005020791.tif 000004
【図４】
0005020791.tif 000005
【図５】
0005020791.tif 000006
【図６】
0005020791.tif 000007